(57)【要約】      （修正有）【課題】伝導ノイズ電流の漏洩を抑制することが可能なリアクトルを提供する。【解決手段】リアクトル５は、磁性体コア５１、５２と、磁性体コア５１、５２の周囲に配置されている導体の巻線５３と、巻線の少なくとも一部に配置されており、巻線の周方向全周に渡って配置されている、シート状の磁性体５４と、を備える。巻線間に磁性体が配置されている部位における巻線間距離は、巻線間に磁性体が配置されていない部位における巻線間距離よりも大きい。【選択図】図３
2019197836.tif 000002
【特許請求の範囲】
【請求項１】
リアクトルであって、
磁性体コアと、
前記磁性体コアの周囲に配置されている導体の巻線と、
前記巻線の少なくとも一部に配置されており、前記巻線の周方向全周に渡って配置されている、シート状の磁性体と、
を備え、
巻線間に前記磁性体が配置されている部位における巻線間距離は、巻線間に前記磁性体が配置されていない部位における巻線間距離よりも大きい、リアクトル。
【請求項２】
前記磁性体は、環状の前記巻線を軸方向から見たときに、軸の点対称位置に配置されている、請求項１に記載のリアクトル。
【請求項３】
前記磁性体は、
前記巻線の表面を前記巻線の周方向全周に渡って覆うシート状の第１層磁性体と、
前記第１層磁性体の表面の少なくとも一部を、前記巻線の周方向全周に渡って覆うシート状の第２層磁性体と、
を備えており、
前記第１層磁性体は、前記巻線の周方向の第１端部と前記巻線の周方向の第２端部との間の領域である第１の継ぎ目領域を備えており、
前記第２層磁性体は、前記巻線の周方向の第１端部と前記巻線の周方向の第２端部との間の領域である第２の継ぎ目領域を備えており、
前記第１の継ぎ目領域と前記第２の継ぎ目領域とが重複しない、請求項１または２に記載のリアクトル。
【請求項４】
前記巻線は、
第１の巻線と、
前記第１の巻線と磁気結合している第２の巻線と、
を備えており、
前記第１の巻線および前記第２の巻線の各々に前記磁性体が配置されている、請求項１〜３の何れか１項に記載のリアクトル。
【請求項５】
入力側平滑回路と、第１リアクトルと、スイッチング素子と、出力側平滑回路と、を備えたコンバータ回路であって、
前記入力側平滑回路の第１端子が、前記第１リアクトルを介して前記スイッチング素子の一端に接続されており、
前記入力側平滑回路の第２端子と、前記スイッチング素子の他端とが接続配線を介して接続されており、
前記第１リアクトルは、
磁性体コアと、
前記磁性体コアの周囲に配置されている導体の巻線と、
前記巻線の少なくとも一部に配置されており、前記巻線の周方向全周に渡って配置されている、シート状の第１磁性体と、
を備えており、
前記接続配線の少なくとも一部に配置されており、前記接続配線の周方向全周に渡って配置されている第２磁性体を備える、コンバータ回路。
【請求項６】
前記第１磁性体および前記第２磁性体は、前記コンバータ回路の動作周波数よりも高い周波数帯域において、真空における透磁率よりも高い透磁率を有する磁性体である、請求項５に記載のコンバータ回路。
【請求項７】
入力側平滑回路と、第１リアクトルと、第２リアクトルと、スイッチング素子と、出力側平滑回路と、を備えたコンバータ回路であって、
前記入力側平滑回路の第１端子が、前記第１リアクトルを介して前記スイッチング素子の一端に接続されており、
前記入力側平滑回路の第２端子が、前記第２リアクトルを介して前記スイッチング素子の他端に接続されており、
前記第１リアクトルは、
第１磁性体コアと、
前記第１磁性体コアの周囲に配置されている導体の第１巻線と、
前記第１巻線の少なくとも一部に配置されており、前記第１巻線の周方向全周に渡って配置されている、シート状の第１磁性体と、
を備えており、
前記第２リアクトルは、
第２磁性体コアと、
前記第２磁性体コアの周囲に配置されている導体の第２巻線と、
前記第２巻線の少なくとも一部に配置されており、前記第２巻線の周方向全周に渡って配置されている、シート状の第２磁性体と、
を備えている、コンバータ回路。
【請求項８】
前記第１磁性体および前記第２磁性体は、前記コンバータ回路の動作周波数よりも高い周波数帯域において、真空における透磁率よりも高い透磁率を有する磁性体である、請求項７に記載のコンバータ回路。
【請求項９】
前記第１磁性体コアと前記第２磁性体コアとは一体であり、
前記第１リアクトルと前記第２リアクトルとが磁気結合している、請求項７または８に記載のコンバータ回路。
【発明の詳細な説明】
【技術分野】
【０００１】
本明細書に記載されている技術は、リアクトルおよびコンバータ回路に関する。
【背景技術】
【０００２】
フィルタ特性を広帯域化したノイズフィルタが知られている。特許文献１には、特性の異なる２つのフェライトコア材をまとめて巻線することで広帯域化した、コモンモードチョークコイルが開示されている。
【先行技術文献】
【特許文献】
【０００３】
【特許文献１】特開２００４−２８８８８２号公報
【発明の概要】
【発明が解決しようとする課題】
【０００４】
コイルの巻線は密に巻かれているため、巻線間には寄生容量が存在する。すなわちコイル全体でみれば、コイルの端子間に多数の寄生容量が直列に接続されているとみなすことができる。そして、当該コイルを搭載した回路（例：コンバータ回路）の動作周波数よりも高い高周波の電磁ノイズ（例：コモンモードノイズ）がコイルに入力された場合、このような高周波帯域では寄生容量のインピーダンスが低下してしまうため、寄生容量を経路として伝導ノイズ電流がコイルを通過し漏洩してしまう。
【課題を解決するための手段】
【０００５】
本明細書が開示するリアクトルの一実施形態は、磁性体コアと、磁性体コアの周囲に配置されている導体の巻線と、巻線の少なくとも一部に配置されており、巻線の周方向全周に渡って配置されている、シート状の磁性体と、を備える。巻線間に磁性体が配置されている部位における巻線間距離は、巻線間に磁性体が配置されていない部位における巻線間距離よりも大きい。
【０００６】
巻線の少なくとも一部の巻線間距離を大きくすることができる。従って、リアクトルの端子間に直列接続されている多数の寄生容量のうち、少なくとも１つの容量値を低下させることができる。直列接続されている寄生容量の何れか１つの容量値を低下させることで、リアクトル端子間の容量を効果的に低減することができる。寄生容量を経路として漏洩する伝導ノイズ電流を、抑制することが可能となる。また磁性体の透磁率によって、インダクタンスによるインピーダンスを上昇させることができる。伝導ノイズ電流を抑制することが可能となる。
【０００７】
磁性体は、環状の巻線を軸方向から見たときに、軸の点対称位置に配置されていてもよい。効果の詳細は実施例で説明する。
【０００８】
磁性体は、巻線の表面を巻線の周方向全周に渡って覆うシート状の第１層磁性体と、第１層磁性体の表面の少なくとも一部を、巻線の周方向全周に渡って覆うシート状の第２層磁性体と、を備えていてもよい。第１層磁性体は、巻線の周方向の第１端部と巻線の周方向の第２端部との間の領域である第１の継ぎ目領域を備えていてもよい。第２層磁性体は、巻線の周方向の第１端部と巻線の周方向の第２端部との間の領域である第２の継ぎ目領域を備えていてもよい。第１の継ぎ目領域と第２の継ぎ目領域とが重複しなくてもよい。効果の詳細は実施例で説明する。
【０００９】
巻線は、第１の巻線と、第１の巻線と磁気結合している第２の巻線と、を備えていてもよい。第１の巻線および第２の巻線の各々に磁性体が配置されていてもよい。効果の詳細は実施例で説明する。
【００１０】
本明細書が開示するコンバータ回路の一実施形態は、入力側平滑回路と、第１リアクトルと、スイッチング素子と、出力側平滑回路と、を備えたコンバータ回路である。入力側平滑回路の第１端子が、第１リアクトルを介してスイッチング素子の一端に接続されている。入力側平滑回路の第２端子と、スイッチング素子の他端とが接続配線を介して接続されている。第１リアクトルは、磁性体コアと、磁性体コアの周囲に配置されている導体の巻線と、巻線の少なくとも一部に配置されており、巻線の周方向全周に渡って配置されている、シート状の第１磁性体と、を備えている。接続配線の少なくとも一部に配置されており、接続配線の周方向全周に渡って配置されている第２磁性体を備える。効果の詳細は実施例で説明する。
【００１１】
第１磁性体および第２磁性体は、コンバータ回路の動作周波数よりも高い周波数帯域において、真空における透磁率よりも高い透磁率を有する磁性体であってもよい。効果の詳細は実施例で説明する。
【００１２】
本明細書が開示するコンバータ回路の一実施形態は、入力側平滑回路と、第１リアクトルと、第２リアクトルと、スイッチング素子と、出力側平滑回路と、を備えたコンバータ回路である。入力側平滑回路の第１端子が、第１リアクトルを介してスイッチング素子の一端に接続されている。入力側平滑回路の第２端子が、第２リアクトルを介してスイッチング素子の他端に接続されている。第１リアクトルは、第１磁性体コアと、第１磁性体コアの周囲に配置されている導体の第１巻線と、第１巻線の少なくとも一部に配置されており、第１巻線の周方向全周に渡って配置されている、シート状の第１磁性体と、を備えている。第２リアクトルは、第２磁性体コアと、第２磁性体コアの周囲に配置されている導体の第２巻線と、第２巻線の少なくとも一部に配置されており、第２巻線の周方向全周に渡って配置されている、シート状の第２磁性体と、を備えている。効果の詳細は実施例で説明する。
【００１３】
第１磁性体コアと第２磁性体コアとは一体であってもよい。第１リアクトルと第２リアクトルとが磁気結合していてもよい。
【図面の簡単な説明】
【００１４】
【図１】実施例１の双方向ＤＣ−ＤＣコンバータ回路１の回路図である。
【図２】リアクトル５の斜視外観図である。
【図３】リアクトル５を分解した平面概略図である。
【図４】図３のＩＶ−ＩＶ線における断面図である。
【図５】実施例１における図４のＶ−Ｖ線における断面図である。
【図６】第２磁性体１２の斜視外観図である。
【図７】リアクトル５の等価回路図である。
【図８】実施例２における図４のＶ−Ｖ線に対応する断面図である。
【図９】実施例３に係る双方向コンバータ回路１ａの回路図である。
【図１０】結合リアクトル５ａおよび５ｂを分解した平面概略図である。
【図１１】継ぎ目領域の変形例を示す図である。
【図１２】継ぎ目領域の変形例を示す図である。
【図１３】第１磁性体５４の配置位置の変形例を示す図である。
【図１４】第１磁性体５４の配置位置の変形例を示す図である。
【発明を実施するための形態】
【実施例１】
【００１５】
（双方向コンバータ回路の構成）
図１に、チョッパー型の双方向ＤＣ−ＤＣコンバータ回路１の回路図を示す。双方向ＤＣ−ＤＣコンバータ回路１は、電気自動車に搭載されるデバイスである。双方向ＤＣ−ＤＣコンバータ回路１は、低圧側（例：２００Ｖ）のバッテリ９１の直流電圧を昇圧して、高圧側（例：６００Ｖ）に接続されたインバータ回路９２などの機器を駆動する。また、高圧側の機器（例：発電機）で発生した直流電力を降圧して、低圧側に接続されたバッテリ９１を充電する。双方向ＤＣ−ＤＣコンバータ回路１の動作は周知であるため、詳しい説明は省略する。また以下では、説明を簡単にするために、双方向ＤＣ−ＤＣコンバータ回路１を単純に双方向コンバータ回路１と称する場合がある。
【００１６】
双方向コンバータ回路１は、バッテリ９１、平滑コンデンサ４、リアクトル５、第２磁性体１２、２個のスイッチング素子６ａおよび６ｂ、２個の還流ダイオード１０ａおよび１０ｂ、平滑コンデンサ９、インバータ回路９２、を備えている。平滑コンデンサ９の第１端子７ａは、インバータ回路９２の正極およびスイッチング素子６ａのコレクタ端子に接続されている。平滑コンデンサ９の第２端子７ｂは、インバータ回路９２の負極およびスイッチング素子６ｂのエミッタ端子に接続されている。平滑コンデンサ９は、直流電圧を安定化するコンデンサである。インバータ回路９２は、不図示の走行用のモータに交流電力を供給する。
【００１７】
スイッチング素子６ａ、６ｂは、ＩＧＢＴ（Insulated Gate Bipolar Transistor）である。スイッチング素子６ａのエミッタ端子と、スイッチング素子６ｂのコレクタ端子とは、ノードＮ１で接続されている。ノードＮ１は、２個のスイッチング素子６ａおよび６ｂの直列接続の中点に相当する。還流ダイオード１０ａのアノードはスイッチング素子６ａのエミッタ端子に接続され、カソードはスイッチング素子６ａのコレクタ端子に接続されている。同様に、還流ダイオード１０ｂのアノードはスイッチング素子６ｂのエミッタ端子に接続され、カソードはスイッチング素子６ｂのコレクタ端子に接続されている。
【００１８】
スイッチング素子６ｂのコレクタ端子（すなわちノードＮ１）は、リアクトル５を介して、平滑コンデンサ４の第１端子３ａおよびバッテリ９１の正極に接続されている。スイッチング素子６ｂのエミッタ端子（すなわちノードＮ２）は、接続配線Ｗ１を介して、平滑コンデンサ４の第２端子３ｂおよびバッテリ９１の負極に接続されている。平滑コンデンサ４は、直流電圧を安定化するコンデンサである。接続配線Ｗ１の少なくとも一部には、第２磁性体１２が配置されている。第２磁性体１２の具体的構造については、後述する。
【００１９】
（リアクトル５の構造）
図２に、リアクトル５の斜視外観図を示す。図３に、リアクトル５を分解した、平面概略図を示す。図３は、図２のＺ軸方向から見た図である。図２および図３に示すように、リアクトル５は、磁性体コア５１および５２と、巻線５３と、第１磁性体５４と、を備える。磁性体コア５１および５２は、実効的なインダクタンスを高めるために、双方向コンバータ回路１の動作周波数（１０ｋＨｚ程度）において高い透磁率を有するコアである。磁性体コア５１および５２の各々は、図３の分解図に示すように、端面ＥＳ１およびＥＳ２を備えている。端面ＥＳ１およびＥＳ２が所定のギャップを有して近接した状態で、磁性体コア５１および５２の周囲に巻線５３が配置されることで、リアクトル５が構成されている。所定のギャップは、大電流が巻線５３に流れたときの磁気飽和を防ぐ効果を有している。また巻線５３の両端部は、端子ＴＥ１およびＴＥ２として機能する。磁性体コア５１および５２、巻線５３、第１磁性体５４は樹脂で固定し、一体の部品とされている。これにより、リアクトル５の特性を安定化することや、取扱いの容易化を図ることができる。
【００２０】
図４に、図３のＩＶ−ＩＶ線における断面図を示す。図４は、第１磁性体５４が巻き付けられた、１ターン分の巻線５３を示している。図４において、巻線５３の中心軸をＡＸ１とする。２つの第１磁性体５４は、中心軸ＡＸ１方向から見たときに、中心軸ＡＸ１の点対称位置に配置されている。
【００２１】
図５に、図４のＶ−Ｖ線における断面図を示す。図５に示すように、シート状の第１磁性体５４を巻線５３に巻きつける際に、継ぎ目領域Ｒ１が形成される。この継ぎ目領域Ｒ１において、継ぎ目に段差および隙間がない状態で、１枚のシート状の第１磁性体５４を巻きつけることが好ましい。これにより、シート状の第１磁性体５４内の磁路の磁気抵抗の増加を、抑制することができる。また、第１磁性体５４が巻き付けられた部位の体積増加を、最小限に抑制することができる。
【００２２】
図３に示すように、巻線間に第１磁性体５４が配置されている部位における巻線間距離をＤ１とする。また、巻線間に第１磁性体５４が配置されていない部位における巻線間距離をＤ２とする。距離Ｄ１は、第１磁性体５４の厚みと略等しい。一方、距離Ｄ２はほぼゼロである。すなわち、距離Ｄ１は距離Ｄ２よりも大きい。
【００２３】
第１磁性体５４は、双方向コンバータ回路１の動作周波数よりも高い特定周波数帯域において、真空における透磁率よりも高い透磁率を有する磁性体である。本実施例では、動作周波数は１０ｋＨｚ程度であり、特定周波数はＦＭラジオ帯（１００ＭＨｚ前後）程度である。第１磁性体５４のＦＭラジオ帯における透磁率は、例えば、複素透磁率の実部μ’が６０程度以上、虚部μ’’が４０程度以上、である。複素透磁率の実部μ’はインダクタンス特性に寄与し、虚部μ’’は抵抗特性に寄与する。第１磁性体５４は絶縁性である。例えば、シート抵抗が１×１０６Ω／□程度であってもよい。
【００２４】
（第２磁性体１２の構造）
第２磁性体１２は、第１磁性体５４と同一部材である。すなわち、第２磁性体１２のシート形状、透磁率、シート抵抗等は、第１磁性体５４と同一である。図６に、接続配線Ｗ１に巻き付けられた第２磁性体１２の、斜視外観図を示す。第２磁性体１２はシート状であり、接続配線Ｗ１の周方向全周に渡って配置されている。
【００２５】
（効果）
図７に、リアクトル５の等価回路を示す。図７に示すように、リアクトル５の全体でみれば、リアクトルの端子ＴＥ１とＴＥ２の間に多数の寄生容量が直列に接続されているとみなすことができる。図７では、巻線５３を形成するＮ個のターンＴ１〜ＴＮの各々に対応して、寄生容量ＰＣ１からＰＣＮまでのＮ個が直列に接続されている場合を説明する。リアクトル５を搭載した双方向コンバータ回路１の動作周波数（１０ｋＨｚ）よりも高い高周波のコモンモードノイズ（例：１００ＭＨｚ前後）がリアクトル５に入力された場合、このような高周波帯域では寄生容量ＰＣ１〜ＰＣＮのインピーダンスが低下してしまうため、寄生容量ＰＣ１〜ＰＣＮを経路として伝導ノイズ電流が伝搬してしまう。すなわち図１に示すように、伝導ノイズ電流ＣＭ１がリアクトル５を介して低圧側に漏洩してしまう。伝搬した伝導ノイズ電流ＣＭ１は、車両のＦＭラジオ等の音声に悪影響を及ぼしてしまう場合があるため、問題となる。そこで実施例１に係るリアクトル５では、図３に示すように、巻線５３の少なくとも一部に第１磁性体５４を配置することで、巻線間距離を距離Ｄ１から距離Ｄ２へ大きくすることができる。これにより、図７の直列接続された寄生容量ＰＣ１〜ＰＣＮの少なくとも１つの容量値を低下させることで、リアクトル５の端子ＴＥ１とＴＥ２の間の容量を効果的に低減することができる。寄生容量ＰＣ１〜ＰＣＮを経路として漏洩する伝導ノイズ電流を、抑制することが可能となる。また、巻線５３において第１磁性体５４が巻かれた部位では、第１磁性体５４の透磁率によって、インダクタンスによるインピーダンスを上昇させることができる。これによっても、伝導ノイズ電流の漏洩を抑制することが可能となる。
【００２６】
また、第１磁性体５４を巻線５３の一部に挿入することは、リアクトル５の設計に影響を与えない。これは、第１磁性体５４の挿入による、リアクトル５の動作周波数でのインピーダンスの変化は、リアクトル５のインダクタンスが大きいため無視できるためである。すなわち、第１磁性体５４を用いることによって、リアクトル５の機能を阻害せずに、伝導ノイズ電流ＣＭ１の伝搬を抑制することができる。
【００２７】
図４に示すように、２つの第１磁性体５４は、中心軸ＡＸ１の点対称位置に配置されている。これにより、図３に示す巻線間の距離Ｄ２を、巻線５３の全周に沿って均等にすることができる。すなわち図３において、第１磁性体５４を巻いたＫ番目のターンＴＫと隣接するターンＴＫ−１との距離Ｄ１、および、Ｋ番目のターンＴＫと隣接するターンＴＫ＋１との距離Ｄ１を、Ｋ番目のターンＴＫの全周に渡って一定に保つことができる。従って、第１磁性体５４を巻き付けたＫ番目のターンＴＫの寄生容量の低下量を、一定値に管理することができる。またリアクトル５全体の体積の増加を、一定量に管理することができる。
【００２８】
図１において、リアクトル５が配置されている経路、および、第２磁性体１２が配置されている接続配線Ｗ１の経路は、スイッチング素子と低電圧バッテリとのコモンモードノイズ伝搬経路として機能する。従って、スイッチング素子６ａおよび６ｂのスイッチング動作に起因して発生したコモンモードノイズの一部は、接続配線Ｗ１を介して、伝導ノイズ電流ＣＭ２として、低圧側へ伝搬してしまう。そこで実施例１に係る双方向コンバータ回路１では、接続配線Ｗ１の少なくとも一部に巻きつけられている、第２磁性体１２を備えている。これにより、接続配線Ｗ１において、ＦＭラジオ帯のコモンモードのインピーダンスを高めることができる。接続配線Ｗ１を経路として漏洩する伝導ノイズ電流ＣＭ２を、抑制することが可能となる。
【実施例２】
【００２９】
実施例２では、シート状の第１磁性体５４を巻線５３に巻きつける構造が、実施例１とは異なっている。その他の内容については、実施例１と２とで共通である。
【００３０】
図８に、図４のＶ−Ｖ線に対応する断面図を示す。図８に示すように第１磁性体５４は、第１層磁性体５４１と、第２層磁性体５４２とを備える。第１層磁性体５４１は、巻線５３の表面を巻線の周方向全周に渡って覆うシート状の磁性体である。第２層磁性体５４２は、第１層磁性体５４１の表面の少なくとも一部を、巻線５３の周方向全周に渡って覆うシート状の磁性体である。第１層磁性体５４１は、第１端部Ｅ１１と第２端部Ｅ１２との間の領域である、第１の継ぎ目領域Ｒ１１を備えている。第２層磁性体５４２は、第１端部Ｅ２１と第２端部Ｅ２２との間の領域である、第２の継ぎ目領域Ｒ１２を備えている。第１の継ぎ目領域Ｒ１１と第２の継ぎ目領域Ｒ１２とは、重複しないように配置されている。すなわち、第１端部Ｅ１１と第２端部Ｅ１２との間の空隙と、第１端部Ｅ２１と第２端部Ｅ２２との間の空隙とが連結しない。
【００３１】
（効果）
第１層磁性体５４１および第２層磁性体５４２を合わせた全体の磁気抵抗の増加を、抑制することができる。従って、巻線５３を流れる電流によって生じる磁束を、第１層磁性体５４１および第２層磁性体５４２に通しやすくなる。第１層磁性体５４１および第２層磁性体５４２の複素透磁率の増加に比例して、巻線５３のインダクタンス（複素透磁率の実部に比例）、および抵抗（複素透磁率の虚部に比例）を大きくすることができる。
【実施例３】
【００３２】
図９に、実施例３に係る双方向コンバータ回路１ａを示す。実施例３の双方向コンバータ回路１ａは、実施例１のリアクトル５に代えて、結合リアクトル５ａおよび５ｂを備えている。実施例１の双方向コンバータ回路１と実施例３の双方向コンバータ回路１ａとで、同一の符号を付した部位は同一である。
【００３３】
結合リアクトル５ａおよび５ｂにおいて、ドットは、各巻線の極性を表すものである。結合リアクトル５ａおよび５ｂは、逆相の電流（例えば第１端子３ａからノードＮ１への電流と、ノードＮ２から第２端子３ｂへの電流）に対して相互磁束が互いに加算し合うような差動的な関係にある。スイッチング素子６ｂのコレクタ端子（すなわちノードＮ１）は、結合リアクトル５ａを介して、平滑コンデンサ４の第１端子３ａおよびバッテリ９１の正極に接続されている。スイッチング素子６ｂのエミッタ端子（すなわちノードＮ２）は、結合リアクトル５ｂを介して、平滑コンデンサ４の第２端子３ｂおよびバッテリ９１の負極に接続されている。
【００３４】
図１０に、結合リアクトル５ａおよび５ｂを分解した、平面概略図を示す。結合リアクトル５ａおよび５ｂは、第１の巻線５３ａと、第２の巻線５３ｂとを備える。第１の巻線５３ａは結合リアクトル５ａとして機能し、第２の巻線５３ｂは結合リアクトル５ｂとして機能する。第１の巻線５３ａと第２の巻線５３ｂは、磁性体コア５１および５２を共用することで、磁気結合している。換言すると、第１の巻線５３ａの磁性体コアと第２の巻線５３ｂの磁性体コアとは、一体である。第１の巻線５３ａの一部に、シート状の第１磁性体５４ａが巻き付けられている。第２の巻線５３ｂの一部に、シート状の第２磁性体５４ｂが巻き付けられている。第１磁性体５４ａおよび第２磁性体５４ｂの巻き付け構造や特徴などは、実施例１で前述した第１磁性体５４と同様である。
【００３５】
（効果）
図９において、結合リアクトル５ａおよび５ｂが配置されている２つの経路は、コモンモードノイズ伝搬経路として機能するため、伝導ノイズ電流ＣＭ１およびＣＭ２が低圧側へ伝搬してしまう。実施例３に係る双方向コンバータ回路１ａでは、結合リアクトル５ａの第１の巻線５３ａの一部に第１磁性体５４ａを配置するとともに、結合リアクトル５ｂの第２の巻線５３ｂの一部に第２磁性体５４ｂを配置している。これにより、結合リアクトル５ａおよび５ｂにおいて、寄生容量を経路として漏洩する伝導ノイズ電流ＣＭ１およびＣＭ２を、抑制することが可能となる。また巻線５３ａおよび５３ｂにおいて、それぞれ第１磁性体５４ａおよび第２磁性体５４ｂが巻かれた部位では、第１磁性体５４ａおよび第２磁性体５４ｂの透磁率によるインダクタンスによってインピーダンスを上昇させることができる。これによっても、伝導ノイズ電流の漏洩を抑制することが可能となる。
【００３６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【００３７】
（変形例）
シート状の第１磁性体５４を巻線５３に巻きつける際の継ぎ目領域の構造は、図５に示すような構造に限られない。例えば、図１１に示すように、第１磁性体５４の第１端部Ｅ１と第２端部Ｅ２とをオーバーラップさせてもよい。これにより、継ぎ目領域Ｒ１３における磁気抵抗の増加を抑制することができる。また例えば図１２に示すように、２枚のシート状の第１磁性体５４で巻線５３を挟み込み、端部領域ＥＲ１およびＥＲ２で第１磁性体５４を互いに貼り合わせる構造としてもよい。巻線５３の周囲にギャップなく第１磁性体５４を配置することができるため、第１磁性体５４の磁気抵抗の増加を抑制することができる。
【００３８】
第１磁性体５４の巻き付け位置は、巻線５３の何れの位置でもよい。また第１磁性体５４の巻き付け部の数は、１か所以上であれば、複数個所でもよい。
【００３９】
１ターン分の巻線５３に第１磁性体５４を巻き付ける位置は、中心軸ＡＸ１の点対称位置であれば、どのような位置であってもよい。例えば、図１３に示すように、４つの第１磁性体５４を、中心軸ＡＸ１の点対称位置に配置してもよい。また例えば、図１４に示すように１ターン分の巻線５３の全周に渡って、１つの第１磁性体５４を配置してもよい。
【００４０】
第１磁性体５４および第２磁性体１２が高い透磁率を有する特定周波数帯域は、ＦＭラジオ帯に限られず、様々な周波数帯域であってよい。例えば特定周波数帯域は、携帯電話の周波数帯域（約７００ＭＨｚ〜２．５ＧＨｚ）であってもよい。
【００４１】
接続配線Ｗ１のノイズ低減に有効なインピーダンスを増加させる手段の一例として、第２磁性体１２を説明したが、この形態に限られない。接続配線Ｗ１のインピーダンスを、第２磁性体１２が配置された場合と同等に増加させるような、他の実施方法を用いてもよい。例えば、接続配線Ｗ１にトロイダルコアやフェライトコアを挿入してもよい。あるいは、配線を延長または巻線状にして寄生インダクタンスを増加させてもよい。
【００４２】
本明細書が開示するリアクトルを搭載する装置は、双方向ＤＣ−ＤＣコンバータ回路に限られない。別の電力変換回路を有する装置であってもよい。また、本明細書が開示する技術は、車載のリアクトルやコンバータ回路に限られない。
【００４３】
第１磁性体５４は、シート状の磁性体の一例である。平滑コンデンサ４は、入力側平滑回路の一例である。リアクトル５は、第１リアクトルの一例である。平滑コンデンサ９は、出力側平滑回路の一例である。ノードＮ１は、スイッチング素子の一端の一例である。ノードＮ２は、スイッチング素子の他端の一例である。磁性体コア５１および５２は、第１磁性体コアおよび第２磁性体コアの一例である。
【符号の説明】
【００４４】
１：双方向コンバータ回路    ４：平滑コンデンサ    ５：リアクトル    ６ａ、６ｂ：スイッチング素子    ９：平滑コンデンサ    １２：第２磁性体    ５１、５２：磁性体コア    ５３：巻線    ５４：第１磁性体    ９１：バッテリ    ９２：インバータ回路    ＡＸ１：中心軸    ＣＭ１、ＣＭ２：伝導ノイズ電流    Ｄ１、Ｄ２：距離
【図１】
2019197836.tif 000003
【図２】
2019197836.tif 000004
【図３】
2019197836.tif 000005
【図４】
2019197836.tif 000006
【図５】
2019197836.tif 000007
【図６】
2019197836.tif 000008
【図７】
2019197836.tif 000009
【図８】
2019197836.tif 000010
【図９】
2019197836.tif 000011
【図１０】
2019197836.tif 000012
【図１１】
2019197836.tif 000013
【図１２】
2019197836.tif 000014
【図１３】
2019197836.tif 000015
【図１４】
2019197836.tif 000016